(57)【要約】      （修正有）【課題】床面に付着した塵埃等の汚れをブラシで掃き上げてからモップで払拭することで、従来のモップでは清掃が困難なノンスリップタイル等の滑り難い性質の材料からなる床面の清掃を可能にする。【解決手段】幅板状の基板部１と、前記基板部１に設けられた柄と、棒状の基部４ａの長手方向に刷毛４ｂを植設し該刷毛４ｂの毛先が床面に接触するように前記基板部１に設けられたブラシ４と、前記基板部１に設けられた挟着具９と、一側縁２２ａが前記挟着具９に着脱自在に挟着されるモップ２２と、前記基板部１に回動自在に軸着した車輪２３とからなる。【選択図】図３
0003134049.tif 000002
【実用新案登録請求の範囲】
【請求項１】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなることを特徴とする掃除具。
【請求項２】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップと、前記基板部に回動自在に軸着した車輪とからなることを特徴とする掃除具。
【請求項３】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記ブラシは前記基板部にヒンジで回動自在に蝶着されて弾性部材により毛先が床面に押圧されるような起立動作機構を有することを特徴とする掃除具。
【請求項４】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記挟着具は前記モップの一側縁を突刺するピンが設けられていることを特徴とする掃除具。
【請求項５】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記挟着具は開放状態を一時的に維持できる鉤状の掛止片を有することを特徴とする掃除具。
【請求項６】
幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップと、前記基板部に回動自在に軸着した車輪とからなり、前記ブラシは前記基板部にヒンジで回動自在に蝶着されて弾性部材により毛先が床面に押圧されるような起立動作機構を有し、前記挟着具は前記モップの一側縁を突刺するピンが設けられており、前記挟着具は開放状態を一時的に維持できる鉤状の掛止片を有することを特徴とする掃除具。
【考案の詳細な説明】
【技術分野】
【０００１】
この考案は、ノンスリップタイル等の滑り難い性質の材料からなる床面を、箒の役割をするブラシで掃くと同時にモップで払拭しながら清掃する掃除具に関するものである。
【背景技術】
【０００２】
大理石等の石材やＰタイル等のプラスチック材およびフローリング等の木材などの床面を清掃するモップとしては、下記特許文献１で知られているものがある。このようなモップでは、モップを押して拭く動作と引いて拭く動作を繰り返して床面を清掃し、主に押して拭く動作においてモップを床面に強く押し付けて塵埃等の汚れを擦り取る方法が一般的である。
【特許文献１】特開平６−１９７８５５号公報
【考案の開示】
【考案が解決しようとする課題】
【０００３】
上記のようにモップによる清掃では、床面に付着した塵埃等の汚れを擦り取るためにモップを床面に強く押し付けなくてはならない。従って、清掃作業者は筋力が要求され、身体への負担が多くなり疲労しやすいことが問題となる。特に広い面積の床面を清掃する際には相当の労力と時間が必要となる。
【０００４】
一方で、転倒防止等の理由により、陶磁製のノンスリップタイル等の滑り難い性質の材料からなる床面が導入されるケースが近年増加している。このような床面をモップで清掃する場合は、モップを床面に強く押し付けて塵埃等の汚れを払拭しようとすると、モップの毛先繊維が滑り難い材質の床面との摩擦で擦れて剥ぎ取られてしまい、綿状のゴミとなって飛散し床面に付着してしまう。従って、床面を清掃するどころか逆に汚れを増やす結果となる。
【０００５】
そこで、この考案は、床面に付着した塵埃等の汚れをブラシで掃き上げてからモップで払拭することで、従来のモップでは清掃が困難なノンスリップタイル等の滑り難い性質の材料からなる床面の清掃を可能にするものである。これにより、モップを床面に強く押し付けて塵埃等の汚れを擦り取る必要がなくなり、清掃作業者の体力的負担を低減して楽に効率良く清掃できるようにするものである。
【課題を解決するための手段】
【０００６】
そのために、本願の請求項１に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなることを特徴とする。
【０００７】
また、本願の請求項２に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップと、前記基板部に回動自在に軸着した車輪とからなることを特徴とする。
【０００８】
また、本願の請求項３に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記ブラシは前記基板部にヒンジで回動自在に蝶着されて弾性部材により毛先が床面に押圧されるような起立動作機構を有することを特徴とする。
【０００９】
また、本願の請求項４に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記挟着具は前記モップの一側縁を突刺するピンが設けられていることを特徴とする。
【００１０】
また、本願の請求項５に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップとからなり、前記挟着具は開放状態を一時的に維持できる鉤状の掛止片を有することを特徴とする。
【００１１】
また、本願の請求項６に記載の考案は、幅板状の基板部と、前記基板部に設けられた柄と、棒状の基部の長手方向に刷毛を植設し該刷毛の毛先が床面に接触するように前記基板部に設けられたブラシと、前記基板部に設けられた挟着具と、一側縁が前記挟着具に着脱自在に挟着されるモップと、前記基板部に回動自在に軸着した車輪とからなり、前記ブラシは前記基板部にヒンジで回動自在に蝶着されて弾性部材により毛先が床面に押圧されるような起立動作機構を有し、前記挟着具は前記モップの一側縁を突刺するピンが設けられており前記挟着具は開放状態を一時的に維持できる鉤状の掛止片を有することを特徴とする。
【考案の効果】
【００１２】
請求項１に記載の清掃具では、基板部に設けられたブラシおよびモップによって、床面に付着した塵埃等の汚れを箒の役割をするブラシで掃き上げると同時にモップで払拭して清掃できる。従って、従来のようにモップを床面に強く押し付けて塵埃等の汚れを擦り取る必要はなくなり、ノンスリップタイル等の滑り難い性質の材料からなる床面の清掃が可能となる。
【００１３】
請求項２に記載の清掃具では、基板部に軸着した車輪によって、掃除具をより楽に移動させることが可能となる。
【００１４】
請求項３に記載の清掃具では、ブラシの起立動作機構によって、ブラシが床面に対して適切な圧力を維持しつつ塵埃等の汚れを掃くことが可能となる。
【００１５】
請求項４に記載の清掃具では、挟着具に設けられたピンでモップの一側縁を突刺することで、モップの挟着をより強力にすることが可能となる。
【００１６】
請求項５に記載の清掃具では、挟着具に設けられた掛止片により挟着具を開放した状態を一時的に維持することで、モップの着脱を容易に行うことが可能となる。
【００１７】
請求項６に記載の清掃具では、床面に対して適切な圧力を維持するブラシで、床面に付着した塵埃等の汚れを掃きあげると同時に、モップで払拭することが可能となる。また、基板部に軸着した車輪により掃除具を楽に移動させて清掃可能である。さらに、挟着具に設けられたピンでモップの一側縁を突刺することで、モップは挟着具に強力に挟着可能である。また、挟着具に設けられた掛止片により挟着具を開放した状態を一時的に維持することで、モップは容易に着脱可能である。
【考案を実施するための最良の形態】
【００１８】
図１は本考案に係る掃除具の斜視図である。図２は本考案に係る掃除具の図１と別の角度から見た斜視図であり、図３は本考案に係る掃除具の図２におけるＸ−Ｘ線断面図である。また、図４は本考案に係る掃除具の挟着具を開いて柄を取り外した状態の斜視図であり、図５は本考案に係る掃除具の図４におけるＹ−Ｙ線断面図である。
【００１９】
本考案に係る掃除具は、基板部１と、基板部１に着脱自在に設けられた棒状の柄２と、基板部１の下面に起立動作機構を介して設けられたブラシ４と、基板部１の上面に開閉自在に設けられた挟着具９と、挟着具９に着脱自在に挟着されるモップ２２と、基板部１の両側に回動自在に軸着された車輪２３とによって大略構成されている。
【００２０】
基板部１は横に長い長方形状で若干の厚みがある木製の平板である。この基板部１の一方の長辺の中央寄りに、基板部１の上下面で対となる一対の直線状の係合溝１ａが刻設されている。さらに、この一対の係合溝１ａが刻設された側の長辺の側面１ｂは凹状に形成されている。また、基板部１の他方の長辺の両端は一対の矩形の切欠部１ｃが設けられている。なお、基板部１の表面は水分を弾く樹脂塗料が塗装されている。
【００２１】
柄２は棒状であり、先端に設けられた接続具３によって基板部１に着脱自在である。この接続具３は、基体３ａと、ハンドル３ｂと、前記基体３ａと前記ハンドル３ｂの間に架設された弾性部材としてのバネ３ｃとから構成される。基体３ａの先端およびハンドル３ｂの先端である一対の係止片部３ｄは開閉自在に作動し且つバネ３ｃの弾性力によって互いに強く押圧されている。この一対の係止片部３ｄは其々爪３ｅが設けられており、この爪３ｅを基板部１に刻設された係合溝１ａに咬合させて柄２を基板部１に着脱自在に挟着できる。
【００２２】
ブラシ４は棒状の基部４ａと該基部４ａの長手方向に植設した刷毛４ｂからなり、起立動作機構を介して基板部１に取り付けられている。この起立動作機構はヒンジ５と弾性部材としてのコイルスプリング６から大略構成される。ヒンジ５はブラシ４の基部４ａの一方の側面と基板部１の下面の間に蝶着されておりブラシ４を回動自在にしている。また、コイルスプリング６は、ブラシ４の基部４ａの他方の側面の両端寄りに螺着された丸環ネジ７ａと、同様に基板部１の下面の両端寄りに螺着された丸環ネジ７ｂとの間に掛着されている。このコイルスプリング６の張力によってブラシ４は回動されて、刷毛４ｂの毛先が床面に押圧される。また、ブラシ４の回動を一定の角度で制止するＬ字型断面のストッパー８がブラシ４の基部４ａの上面に固着されている。
【００２３】
アルミニウム合金製の挟着具９は受け部材１０と押さえ部材１２から構成され、基板部１の上面に設けられている。幅の狭い長方形状の平板である受け部材１０は基板部１の上面に係止部材としてのビス１１によって固着されている。この受け部材１０の表面は押さえ部材１２側を向くように突設された複数のピン１３が長手方向に一定間隔で配置されている。押さえ部材１２は受け部材１０と合同な底面の周縁に側面を垂直に立設した箱型をしており、バネ蝶番１４により基板部１の上面に回動自在に蝶着されている。この押さえ部材１２の底部はピン１３と同じ配置で貫通孔１５が開設されており、挟着具９を閉じるとピン１３が貫通孔１５に挿通されつつ押さえ部材１２の底面が受け部材１０に調度重なる。
【００２４】
先端にピン１６を有する鉤状の掛止片１７が押さえ部材１２の一端寄りにヒンジ１８で回動自在に蝶着されている。この掛止片１７と押さえ部材１２の間に掛着された弾性部材としてのコイルスプリング１９により、掛止片１７の先端は基板部１の方向に付勢されている。
【００２５】
２０は座部２０ａと該座部２０ａに旋回自在に軸着されたレバー２０ｂからなる留め具である。この留め具２０は、座部２０ａを受け部材１０の両端のさらに外側にあたる基板部１の表面に係止部材としてのビスによって螺着することで、基板部１の表面に固着されている。そして、一対の球形ピン２１が押さえ部材１２の両端側面に係止部材としてのビスで固着されており、レバー２０ｂをこの一対の球形ピン２１の間に係止して挟着具９を閉じた状態でロックできる。
【００２６】
モップ２２は木綿の布を基板部１の長辺よりもやや広幅の長方形状に縫製したものである。このモップ２２の一方の長辺は挟着具９の長さよりやや短くなるように切り込まれており、この一側縁２２ａを挟着具９に着脱自在に挟着できる。尚、このモップは、例えば、糸ラーグモップや紐状のケミカルモップ等の布体以外の材料からなるモップでも構わない。
【００２７】
一対の車輪２３は金属製のホイールとゴム製のタイヤからなるもので、基板部１の両端に設けられた矩形の切欠部１ｃに回動自在に軸着される。また、ゴム等のクッション材からなる一対の衝止片２４が基板部１の長辺の両端に前記車輪２３よりも外側に突出するように固着されている。
【００２８】
尚、本考案の清掃具は、必ずしも木製の基板部やアルミニウム合金製の挟着具または金属製のホイールやゴム製のタイヤ等で製作されることが必須ではない。上記の部材および上記以外の部材のいずれも、例えば合成樹脂等の任意の材料で製作してよい。
【００２９】
次に本考案の掃除具の使用状態を説明する。まず、モップ２２を湿潤させて清掃に適切な水分を含んだ状態にして床面に広げる。次いで、留め具２０のレバー２０ｂを一対の球形ピン２１から外して挟着具９を開き、掛止片１７の先端のピン１６を基板部１の凹状側面１ｂに図５に示したように引っ掛けて、挟着具９を開いた状態で一時的に保持する。そして、モップ２２の一側縁２２ａを受け部材１０上に重ね合わせてから、ピン１６を凹状側面１ｂから外して押さえ部材１２を下ろして挟着具９を閉じる。すると、モップ２２の一側縁２２ａは、受け部材１０に設けられたピン１３によって突刺されるとともにバネ蝶番１４の弾性力によって挟着具９に挟持される。さらに、レバー２０ｂを一対の球形ピン２１の間に係止して挟着具９を閉じた状態でロックする。これで、湿潤したモップ２２は挟着具９にしっかりと挟持され清掃中に外れることはなくなる。
【００３０】
清掃作業者は柄２を握り、基板部１が床面に対して仰角４０度となるように支持する。そうすると、ブラシ４の起立動作と、これを制止するストッパー８により、ブラシ４の刷毛４ｂが床面に対してほぼ垂直になり且つ毛先が床面に調度接触する状態となる。そして、この状態で掃除具を図３に矢印で示したようにブラシ４側の方向へと移動させる。つまり、清掃作業者は柄２を握って掃除具を手前に引く、もしくは引きながら歩いて清掃する。すると、箒の役割をするブラシ４が床面に付着した塵埃等の汚れを掃き上げて、続いて湿潤したモップ２２がこれらの塵埃を払拭する。掃除具を移動させる際にブラシ４は床面との摩擦により後方へ傾くが、コイルスプリング６の弾性力により起立状態が保たれることから床面に対して適切な圧力が維持され塵埃を掃き上げることができる。
【００３１】
また、このように本考案の掃除具で床面を清掃するに際しては、一対の車輪２３の回転により掃除具を極めてスムーズに移動させることできるので清掃作業者は強い力を必要としない。さらには、この一対の車輪２３が基板部１を支えることで、ブラシ４の床面に対する位置がほぼ一定に保たれるとともに、掃除具が床面の端に達した場合も容易に方向転換できる。加えて、一対の衝止片２４が基板部１の両端に設けられていることから車輪２３が建物の壁等に直接触れて損傷を与えることがない。
【００３２】
モップ２２は着脱自在なので、汚れたら挟着具９から取り外してバケツの水などで容易にすすぎ洗いできる。交換用のモップを複数用意しておけば逐一すすぎ洗いをする必要がなく、次々と交換していつも清潔なモップで床面の清掃に集中できる。
【００３３】
本考案の掃除具は、陶磁製のノンスリップタイル等の滑り難い性質の材料を用いた床面の清掃を可能にした考案であるが、水に濡れても変質しない材料ならばどのような床面でも対応でき、大理石等の石材やＰタイル等のプラスチック材およびフローリング等の木材からなる床面も問題なく清掃できる。また、電気掃除機のように電気を必要とせず、従って大きな騒音も発生せず、広い床面でも少ない労力で且つ短時間で清掃することができる。
【図面の簡単な説明】
【００３４】
【図１】本考案に係る掃除具の斜視図である。
【図２】本考案に係る掃除具の図１と別の角度から見た斜視図である。
【図３】本考案に係る掃除具の図２におけるＸ−Ｘ線断面図である。
【図４】本考案に係る掃除具の挟着具を開いて柄を取り外した状態の斜視図である。
【図５】本考案に係る掃除具の図４におけるＹ−Ｙ線断面図である。
【符号の説明】
【００３５】
１      基板部
２      柄
４      ブラシ
４ａ    基部
４ｂ    刷毛
９      挟着具
２２    モップ
２２ａ  一側縁
２３    車輪
【図１】
0003134049.tif 000003
【図２】
0003134049.tif 000004
【図３】
0003134049.tif 000005
【図４】
0003134049.tif 000006
【図５】
0003134049.tif 000007